(57)【要約】【課題】  疲労度を正確に把握することができる作業管理システム、作業管理方法及び作業管理プログラムを提供する。【解決手段】  作業管理システム１は、コンピュータ２の表示部４０を用いて作業者が行う作業を管理する。作業管理システム１は、入力計測部２４と、取消計測部２３と、疲労度入力部２６とを備える。入力計測部２４は、コンピュータ２の入力部１０への作業者による入力作業における入力の回数を計測する。取消計測部２３は、コンピュータ２の入力部１０への作業者による入力作業における取消入力の回数を計測する。疲労度入力部２６は、作業者の主観的な疲労度が入力される。【選択図】      図１
2005071250.tif 000002
【特許請求の範囲】
【請求項１】
表示部（４０，４４０）と入力部（１０）とを備えた表示機器（２，２０２，３０２，４０２）の前記表示部（４０，４４０）を用いて作業者が行う作業を管理する作業管理システム（１，２００，３００，４００）であって、
前記表示機器（２，２０２，３０２，４０２）の前記入力部（１０）への前記作業者による入力作業における入力の回数を計測する入力計測部（２４）と、
前記表示機器（２，２０２，３０２，４０２）の前記入力部（１０）への前記作業者による前記入力作業における取消入力の回数を計測する取消計測部（２３）と、
前記作業者の主観的な疲労度が入力される疲労度入力部（２６）と、
を備えた、
作業管理システム（１，２００，３００，４００）。
【請求項２】
前記入力の回数に対する前記取消入力の回数の割合を計算する計算部（２５，２２５，３２５）と、
前記入力の回数に対する前記取消入力の回数の割合と前記疲労度との相関関係を記憶する相関関係記憶部（３２，３３２）と、
をさらに備えた、
請求項１に記載の作業管理システム（１，２００，３００，４００）。
【請求項３】
前記作業者の作業内容が入力される作業内容入力部（２７）をさらに備え、
前記相関関係記憶部（３２，３３２）は、前記作業内容ごとに前記相関関係を記憶する、
請求項２に記載の作業管理システム（１，２００，３００，４００）。
【請求項４】
前記取消計測部（２３）は、前記入力作業における前記取消入力が所定時間以内において連続して発生する場合には、前記取消入力の回数を１回として計測する、
請求項１から３のいずれかに記載の作業管理システム（１，２００，３００，４００）。
【請求項５】
前記取消入力の回数は、前記表示機器（２，２０２，３０２，４０２）の前記入力部（１０）のＤＥＬキーが押される回数、前記表示機器（２，２０２，３０２，４０２）の前記入力部（１０）のＢＳキーが押される回数及び前記表示機器（２，２０２，３０２，４０２）の前記入力部（１０）によりＵＮＤＯコマンドが実行される回数のうち少なくとも１つを含む、
請求項１から４のいずれかに記載の作業管理システム（１，２００，３００，４００）。
【請求項６】
前記作業者の前記疲労度を報知する報知部（４１，４６１）をさらに備え、
前記計算部（２５，２２５，３２５）は、前記相関関係記憶部（３２，３３２）を参照して、前記入力の回数に対する前記取消入力の回数の割合から前記疲労度を推定する、
請求項２から５のいずれかに記載の作業管理システム（１，２００，３００，４００）。
【請求項７】
前記相関関係記憶部（３２，３３２）に記憶される前記相関関係の履歴を記憶する履歴記憶部（２３３）をさらに備えた、
請求項２から６のいずれかに記載の作業管理システム（１，２００，３００，４００）。
【請求項８】
前記表示機器（２，２０２，３０２，４０２）付近の環境を計測する環境計測部（３２８）をさらに備え、
前記相関関係記憶部（３２，３３２）は、前記入力の回数に対する前記取消入力の回数の割合と前記環境と前記疲労度との相関関係を記憶する
請求項２から７のいずれかに記載の作業管理システム（１，２００，３００，４００）。
【請求項９】
表示部（４０，４４０）と入力部（１０）とを備えた表示機器（２，２０２，３０２，４０２）の前記表示部（４０，４４０）を用いて作業者が行う作業が管理される作業管理方法であって、
前記表示機器（２，２０２，３０２，４０２）の前記入力部（１０）への前記作業者による入力作業における入力の回数が計測される入力計測ステップと、
前記表示機器（２，２０２，３０２，４０２）の前記入力部（１０）への前記作業者による前記入力作業における取消入力の回数が計測される取消計測ステップと、
前記作業者の主観的な疲労度が入力される疲労度入力ステップと、
を備えた、
作業管理方法。
【請求項１０】
表示部（４０，４４０）と入力部（１０）とを備えた表示機器（２，２０２，３０２，４０２）の前記表示部（４０，４４０）を用いて作業者が行う作業を前記表示機器（２，２０２，３０２，４０２）に管理させる作業管理プログラムであって、
前記表示機器（２，２０２，３０２，４０２）の前記入力部（１０）への前記作業者による入力作業における入力の回数が計測される入力計測ステップと、
前記表示機器（２，２０２，３０２，４０２）の前記入力部（１０）への前記作業者による前記入力作業における取消入力の回数が計測される取消計測ステップと、
前記作業者の主観的な疲労度が入力される疲労度入力ステップと、
を備えた、
作業管理プログラム。
【発明の詳細な説明】
【技術分野】
【０００１】
本発明は、作業管理システム、作業管理方法及び作業管理プログラムに関する。
【背景技術】
【０００２】
従来から、表示部と入力部とを備えた表示機器の表示部を用いて作業者が行う作業を管理することが行われている。そのような技術として、入力作業における入力の回数と取消入力の回数とをそれぞれ計測し、入力の回数に対する取消入力の回数の割合から作業者の疲労度を推定する技術が提案されている（例えば、特許文献１参照。）。
【特許文献１】特開平７−２９５７１５  （第１−４頁、第１図）
【発明の開示】
【発明が解決しようとする課題】
【０００３】
しかし、従来の技術は、入力の回数に対する取消入力の回数の割合についての基準が作業者により入力されるため、作業者が実際に疲労していない場合に疲労度を「疲労である」と判定したり、作業者が実際に疲労している場合に疲労度を「疲労でない」と判定したりすることがある。
そこで、本発明の課題は、疲労度を正確に把握することができる作業管理システム、作業管理方法及び作業管理プログラムを提供することにある。
【課題を解決するための手段】
【０００４】
請求項１に係る作業管理システムは、表示機器の表示部を用いて作業者が行う作業を管理する作業管理システムであって、入力計測部と、取消計測部と、疲労度入力部とを備える。入力計測部は、表示機器の入力部への作業者による入力作業における入力の回数を計測する。取消計測部は、表示機器の入力部への作業者による入力作業における取消入力の回数を計測する。疲労度入力部は、作業者の主観的な疲労度が入力される。
【０００５】
この作業管理システムでは、入力計測部が、表示機器の入力部への作業者による入力作業における入力の回数を計測する。取消計測部が、表示機器の入力部への作業者による入力作業における取消入力の回数を計測する。疲労度入力部において、作業者の主観的な疲労度が入力される。
したがって、入力の回数に対する取消入力の回数の割合を計算することができ、入力の回数に対する取消入力の回数の割合と疲労度との相関関係を把握することができる。このため、入力の回数に対する取消入力の回数の割合から疲労度を自動的に推定することができる。その結果、疲労度を正確に把握することができる。
【０００６】
なお、疲労度入力部に疲労度が入力される頻度は、例えば、入力作業における入力の回数が所定回数になった頻度でもいいし、入力作業における取消入力の回数が所定回数になった頻度でもいいし、入力作業において所定期間が経過した頻度でもいいし、入力作業における入力の回数が所定回数になったか又は入力作業において所定期間が経過したかのいずれかが満たされた頻度でもいいし、入力作業における取消入力の回数が所定回数になったか又は入力作業において所定期間が経過したかのいずれかが満たされた頻度でもいい。入力作業における入力には、通常の入力である通常入力と取消の入力である取消入力とが含まれる。入力作業において入力される文字は、例えば、不特定の文字、使用頻度の高い特定の文字、取消作業の頻度の高い特定の文字などである。
【０００７】
請求項２に係る作業管理システムは、請求項１に記載の作業管理システムであって、計算部と、相関関係記憶部とをさらに備える。計算部は、入力の回数に対する取消入力の回数の割合を計算する。相関関係記憶部は、入力の回数に対する取消入力の回数の割合と疲労度との相関関係を記憶する。
この作業管理システムでは、入力計測部が、表示機器の入力部への作業者による入力作業における入力の回数を計測する。取消計測部が、表示機器の入力部への作業者による入力作業における取消入力の回数を計測する。疲労度入力部において、作業者の主観的な疲労度が入力される。入力計測部が、入力作業における入力の回数の情報を計算部に渡すことができる。取消計測部が、入力作業における取消入力の回数の情報を計算部に渡すことができる。計算部が、入力の回数に対する取消入力の回数の割合を計算する。疲労度入力部が、疲労度の情報を計算部に渡すことができる。計算部が、入力の回数に対する取消入力の回数の割合と疲労度との相関関係を計算することができる。計算部が、入力の回数に対する取消入力の回数の割合と疲労度との相関関係の情報を相関関係記憶部に渡すことができる。相関関係記憶部が、入力の回数に対する取消入力の回数の割合と疲労度との相関関係を記憶する。
【０００８】
したがって、入力の回数に対する取消入力の回数の割合から疲労度を自動的に推定することができる。その結果、疲労度を正確に把握することができる。
請求項３に係る作業管理システムは、請求項２に記載の作業管理システムであって、作業内容入力部をさらに備える。作業内容入力部では、作業者の作業内容が入力される。相関関係記憶部は、作業内容ごとに相関関係を記憶する。
【０００９】
この作業管理システムでは、入力計測部が、表示機器の入力部への作業者による入力作業における入力の回数を計測する。取消計測部が、表示機器の入力部への作業者による入力作業における取消入力の回数を計測する。疲労度入力部において、作業者の主観的な疲労度が入力される。作業内容入力部において、作業者の作業内容が入力される。入力計測部が、入力作業における入力の回数の情報を計算部に渡すことができる。取消計測部が、入力作業における取消入力の回数の情報を計算部に渡すことができる。計算部が、入力の回数に対する取消入力の回数の割合を計算する。疲労度入力部が、疲労度の情報を計算部に渡すことができる。作業内容入力部が、作業者の作業内容を計算部に渡すことができる。計算部が、入力の回数に対する取消入力の回数の割合と疲労度との相関関係を、作業内容ごとに計算することができる。計算部が、入力の回数に対する取消入力の回数の割合と疲労度との相関関係の情報及び作業内容の情報を相関関係記憶部に渡すことができる。相関関係記憶部が、入力の回数に対する取消入力の回数の割合と疲労度との相関関係を、作業内容ごとに記憶する。
【００１０】
したがって、入力の回数に対する取消入力の回数の割合と疲労度との相関関係が作業内容により異なる場合でも、入力の回数に対する取消入力の回数の割合から疲労度を正確に推定することができる。
請求項４に係る作業管理システムは、請求項１から３のいずれかに記載の作業管理システムであって、取消計測部は、入力作業における取消入力が所定時間以内において連続して発生する場合には、取消入力の回数を１回として計測する。
【００１１】
この作業管理システムでは、取消計測部が、入力作業における取消入力が所定時間以内において連続して発生する場合には、取消入力の回数を１回として計測する。例えば、ＢＳキーを連続して５回押して５文字を消した場合も取消計測部が１回として計測し、５文字を選択してＤＥＬキーを１回押して５文字を消した場合も取消計測部が１回として計測する。
【００１２】
したがって、作業者により取消入力の方法にばらつきがある場合でも、入力の回数に対する取消入力の回数の割合を正確に把握することができる。
請求項５に係る作業管理システムは、請求項１から４のいずれかに記載の作業管理システムであって、取消入力の回数は、表示機器の入力部のＤＥＬキーが押される回数、表示機器の入力部のＢＳキーが押される回数及び表示機器の入力部によりＵＮＤＯコマンドが実行される回数のうち少なくとも１つを含む。
【００１３】
この作業管理システムでは、取消入力の回数が、表示機器の入力部のＤＥＬキーが押される回数、表示機器の入力部のＢＳキーが押される回数及び表示機器の入力部によりＵＮＤＯコマンドが実行される回数のうち少なくとも１つを含む。入力計測部が、表示機器の入力部への作業者による入力作業における入力の回数を計測する。取消計測部が、表示機器の入力部への作業者による入力作業における取消入力の回数を計測する。疲労度入力部において、作業者の主観的な疲労度が入力される。
【００１４】
したがって、取消入力の回数が、表示機器の入力部のＤＥＬキーが押される回数、表示機器の入力部のＢＳキーが押される回数及び表示機器の入力部によりＵＮＤＯコマンドが実行される回数のうち少なくとも１つを含むので、取消作業の回数を容易に計測することができる。
請求項６に係る作業管理システムは、請求項２から５のいずれかに記載の作業管理システムであって、報知部をさらに備える。報知部は、作業者の疲労度を報知する。計算部は、相関関係記憶部を参照して、入力の回数に対する取消入力の回数の割合から疲労度を推定する。
【００１５】
この作業管理システムでは、入力計測部が、表示機器の入力部への作業者による入力作業における入力の回数を計測する。取消計測部が、表示機器の入力部への作業者による入力作業における取消入力の回数を計測する。疲労度入力部において、作業者の主観的な疲労度が入力される。入力計測部が、入力作業における入力の回数の情報を計算部に渡すことができる。取消計測部が、入力作業における取消入力の回数の情報を計算部に渡すことができる。計算部が、入力の回数に対する取消入力の回数の割合を計算する。疲労度入力部が、疲労度の情報を計算部に渡すことができる。計算部が、入力の回数に対する取消入力の回数の割合と疲労度との相関関係を計算することができる。計算部が、入力の回数に対する取消入力の回数の割合と疲労度との相関関係の情報を相関関係記憶部に渡すことができる。相関関係記憶部が、入力の回数に対する取消入力の回数の割合と疲労度との相関関係を記憶する。計算部が、相関関係記憶部を参照して、入力の回数に対する取消入力の回数の割合から疲労度を推定する。計算部が、疲労度の情報を報知部に渡すことができる。報知部が、作業者の疲労度を報知する。
【００１６】
したがって、報知部が作業者の疲労度を報知するので、作業者の疲労度を作業者が容易に把握することができる。
なお、報知部により報知が行われる方法としては、例えば、人間の視覚に訴える方法、人間の聴覚に訴える方法、人間の味覚・触覚・嗅覚・知覚などに訴える方法などが考えられる。
【００１７】
請求項７に係る作業管理システムは、請求項２から６のいずれかに記載の作業管理システムであって、履歴記憶部をさらに備える。履歴記憶部は、相関関係記憶部に記憶される相関関係の履歴を記憶する。
この作業管理システムでは、入力計測部が、表示機器の入力部への作業者による入力作業における入力の回数を計測する。取消計測部が、表示機器の入力部への作業者による入力作業における取消入力の回数を計測する。疲労度入力部において、作業者の主観的な疲労度が入力される。入力計測部が、入力作業における入力の回数の情報を計算部に渡すことができる。取消計測部が、入力作業における取消入力の回数の情報を計算部に渡すことができる。計算部が、入力の回数に対する取消入力の回数の割合を計算する。疲労度入力部が、疲労度の情報を計算部に渡すことができる。計算部が、入力の回数に対する取消入力の回数の割合と疲労度との相関関係を計算することができる。計算部が、入力の回数に対する取消入力の回数の割合と疲労度との相関関係の情報を、相関関係記憶部と履歴記憶部とに渡すことができる。相関関係記憶部が、入力の回数に対する取消入力の回数の割合と疲労度との相関関係を記憶する。履歴記憶部が、相関関係記憶部に記憶される相関関係の履歴を記憶する。
【００１８】
したがって、入力の回数に対する取消入力の回数の割合と疲労度との相関関係の時間的な変化を予測することができる。このため、相関関係の時間的な変化を考慮しながら、入力の回数に対する取消入力の回数の割合から疲労度を自動的に推定することができる。
請求項８に係る作業管理システムは、請求項２から７のいずれかに記載の作業管理システムであって、環境計測部をさらに備える。環境計測部は、表示機器付近の環境を計測する。相関関係記憶部は、入力の回数に対する取消入力の回数の割合と環境と疲労度との相関関係を記憶する。
【００１９】
この作業管理システムでは、入力計測部が、表示機器の入力部への作業者による入力作業における入力の回数を計測する。取消計測部が、表示機器の入力部への作業者による入力作業における取消入力の回数を計測する。疲労度入力部において、作業者の主観的な疲労度が入力される。環境計測部が、表示機器付近の環境を計測する。入力計測部が、入力作業における入力の回数の情報を計算部に渡すことができる。取消計測部が、入力作業における取消入力の回数の情報を計算部に渡すことができる。計算部が、入力の回数に対する取消入力の回数の割合を計算する。計算部が、入力の回数に対する取消入力の回数の割合の情報を相関関係記憶部に渡すことができる。疲労度入力部が、疲労度の情報を相関関係記憶部に渡すことができる。環境計測部が、表示機器付近の環境の情報を相関関係記憶部に渡すことができる。相関関係記憶部が、入力の回数に対する取消入力の回数の割合と環境と疲労度との相関関係を記憶する。
【００２０】
したがって、入力の回数に対する取消入力の回数の割合と表示機器付近の環境とから疲労度を自動的に推定することができる。
なお、環境とは、例えば、温度、湿度、気流、清浄度などである。
請求項９に係る作業管理方法は、表示機器の表示部を用いて作業者が行う作業が管理される作業管理方法であって、入力計測ステップと、取消計測ステップと、疲労度入力ステップとを備える。表示機器は、表示部と入力部とを備える。入力計測ステップでは、表示機器の入力部への作業者による入力作業における入力の回数が計測される。取消計測ステップでは、表示機器の入力部への作業者による入力作業における取消入力の回数が計測される。疲労度入力ステップでは、作業者の主観的な疲労度が入力される。
【００２１】
この作業管理方法では、入力計測ステップにおいて、表示機器の入力部への作業者による入力作業における入力の回数が計測される。取消計測ステップにおいて、表示機器の入力部への作業者による入力作業における取消入力の回数が計測される。疲労度入力ステップにおいて、作業者の主観的な疲労度が入力される。
したがって、入力の回数に対する取消入力の回数の割合を計算することができ、入力の回数に対する取消入力の回数の割合と疲労度との相関関係を把握することができる。このため、入力の回数に対する取消入力の回数の割合から疲労度を自動的に推定することができる。
【００２２】
なお、疲労度入力ステップにおいて疲労度が入力される頻度は、例えば、入力作業における入力の回数が所定回数になった頻度でもいいし、入力作業における取消入力の回数が所定回数になった頻度でもいいし、入力作業において所定期間が経過した頻度でもいいし、入力作業における入力の回数が所定回数になったか又は入力作業において所定期間が経過したかのいずれかが満たされた頻度でもいいし、入力作業における取消入力の回数が所定回数になったか又は入力作業において所定期間が経過したかのいずれかが満たされた頻度でもいい。入力作業における入力には、通常の入力である通常入力と取消の入力である取消入力とが含まれる。入力作業において入力される文字は、例えば、不特定の文字、使用頻度の高い特定の文字、取消作業の頻度の高い特定の文字などである。
【００２３】
請求項１０に係る作業管理プログラムは、表示機器の表示部を用いて作業者が行う作業を表示機器に管理させる作業管理プログラムであって、入力計測ステップと、取消計測ステップと、疲労度入力ステップとを備える。表示機器は、表示部と入力部とを備える。入力計測ステップでは、表示機器の入力部への作業者による入力作業における入力の回数が計測される。取消計測ステップでは、表示機器の入力部への作業者による入力作業における取消入力の回数が計測される。疲労度入力ステップでは、作業者の主観的な疲労度が入力される。
【００２４】
この作業管理プログラムでは、入力計測ステップにおいて、表示機器の入力部への作業者による入力作業における入力の回数が計測される。取消計測ステップにおいて、表示機器の入力部への作業者による入力作業における取消入力の回数が計測される。疲労度入力ステップにおいて、作業者の主観的な疲労度が入力される。
したがって、入力の回数に対する取消入力の回数の割合を計算することができ、入力の回数に対する取消入力の回数の割合と疲労度との相関関係を把握することができる。このため、入力の回数に対する取消入力の回数の割合から疲労度を自動的に推定することができる。
【００２５】
なお、疲労度入力部に疲労度が入力される頻度は、例えば、入力作業における入力の回数が所定回数になった頻度でもいいし、入力作業における取消入力の回数が所定回数になった頻度でもいいし、入力作業において所定期間が経過した頻度でもいいし、入力作業における入力の回数が所定回数になったか又は入力作業において所定期間が経過したかのいずれかが満たされた頻度でもいいし、入力作業における取消入力の回数が所定回数になったか又は入力作業において所定期間が経過したかのいずれかが満たされた頻度でもいい。入力作業における入力には、通常の入力である通常入力と取消の入力である取消入力とが含まれる。入力作業において入力される文字は、例えば、不特定の文字、使用頻度の高い特定の文字、取消作業の頻度の高い特定の文字などである。
【発明の効果】
【００２６】
請求項１に係る作業管理システムでは、入力の回数に対する取消入力の回数の割合を計算することができ、入力の回数に対する取消入力の回数の割合と疲労度との相関関係を把握することができる。このため、入力の回数に対する取消入力の回数の割合から疲労度を自動的に推定することができる。その結果、疲労度を正確に把握することができる。
請求項２に係る作業管理システムでは、入力の回数に対する取消入力の回数の割合から疲労度を自動的に推定することができる。その結果、疲労度を正確に把握することができる。
【００２７】
請求項３に係る作業管理システムでは、入力の回数に対する取消入力の回数の割合と疲労度との相関関係が作業内容により異なる場合でも、入力の回数に対する取消入力の回数の割合から疲労度を正確に推定することができる。
請求項４に係る作業管理システムでは、作業者により取消入力の方法にばらつきがある場合でも、入力の回数に対する取消入力の回数の割合を正確に把握することができる。
【００２８】
請求項５に係る作業管理システムでは、取消入力の回数が、表示機器の入力部のＤＥＬキーが押される回数、表示機器の入力部のＢＳキーが押される回数及び表示機器の入力部によりＵＮＤＯコマンドが実行される回数のうち少なくとも１つを含むので、取消作業の回数を容易に計測することができる。
請求項６に係る作業管理システムでは、報知部が作業者の疲労度を報知するので、作業者の疲労度を作業者が容易に把握することができる。
【００２９】
請求項７に係る作業管理システムでは、入力の回数に対する取消入力の回数の割合と疲労度との相関関係の時間的な変化を予測することができる。このため、相関関係の時間的な変化を考慮しながら、入力の回数に対する取消入力の回数の割合から疲労度を自動的に推定することができる。
請求項８に係る作業管理システムでは、入力の回数に対する取消入力の回数の割合と表示機器付近の環境とから疲労度を自動的に推定することができる。
【００３０】
請求項９に係る作業管理方法では、入力の回数に対する取消入力の回数の割合を計算することができ、入力の回数に対する取消入力の回数の割合と疲労度との相関関係を把握することができる。このため、入力の回数に対する取消入力の回数の割合から疲労度を自動的に推定することができる。
請求項１０に係る作業管理プログラムでは、入力の回数に対する取消入力の回数の割合を計算することができ、入力の回数に対する取消入力の回数の割合と疲労度との相関関係を把握することができる。このため、入力の回数に対する取消入力の回数の割合から疲労度を自動的に推定することができる。
【発明を実施するための最良の形態】
【００３１】
［第１実施形態］
本発明の第１実施形態に係る作業管理システム１の構成図を図１に示す。ここに示す作業管理システム１は、主としてコンピュータ２の表示部４０を用いて作業者が行う作業を管理するためのシステムである。
＜作業管理システム１の全体構成＞
図１に示す作業管理システム１は、主としてコンピュータ２を備える。コンピュータ２は、主として入力部１０，制御部２０，記憶部３０及び表示部４０を備える。
【００３２】
コンピュータ２の入力部１０への作業者による入力作業における入力の情報は、制御部２０で処理される。処理後の情報は、記憶部３０で記憶されたり、表示部４０で表示されたりする。
＜入力部１０の構成＞
図１に示す入力部１０では、作業者により入力作業における入力が行われる。なお、入力には、通常入力と取消入力とが含まれる。
【００３３】
入力部１０は、作業者の入力作業における入力の情報を制御部２０へ渡す。
＜制御部２０の構成＞
図１に示す制御部２０は、主として文書制御部２１，タイマ２２，取消計測部２３，入力計測部２４，計算部２５，疲労度入力部２６及び作業内容入力部２７を備える。
文書制御部２１は、入力部１０から作業者の入力作業における入力の情報を受け取り、入力の情報を文書データに変換し、記憶部３０と表示部４０とに渡す。
【００３４】
入力計測部２４は、入力部１０から作業者の入力作業における入力の情報を受け取り、コンピュータ２の入力部１０への作業者による入力作業における入力の回数を計測する。取消計測部２３が、入力部１０から作業者の入力作業における入力の情報を受け取り、コンピュータ２の入力部１０への作業者による入力作業における取消入力の回数を計測する。ただし、取消計測部２３は、タイマ２２を参照し、コンピュータ２の入力部１０への作業者による入力作業における取消入力が２秒以内において連続して発生する場合は、取消入力の回数を１回として計測する。また、取消入力の回数は、コンピュータ２の入力部１０のＤＥＬキーが押される回数、コンピュータ２の入力部１０のＢＳキーが押される回数及びコンピュータ２の入力部１０によりＵＮＤＯコマンドが実行される回数の合計である。疲労度入力部２６では、作業者の主観的な疲労度が入力される。作業内容入力部２７では、作業者の作業内容が入力される。
【００３５】
入力計測部２４は、入力作業における入力の回数の情報を計算部２５に渡す。取消計測部２３は、入力作業における取消入力の回数の情報を計算部２５に渡す。計算部２５は、入力の回数に対する取消入力の回数の割合を計算する。疲労度入力部２６は、疲労度の情報を計算部２５に渡す。作業内容入力部２７は、作業内容の情報を計算部２５に渡す。計算部２５が、入力の回数に対する取消入力の回数の割合と疲労度との相関関係を、作業内容ごとに計算する。計算部２５が、入力の回数に対する取消入力の回数の割合と疲労度との相関関係の情報及び作業内容の情報を記憶部３０に渡す。
【００３６】
計算部２５が、記憶部３０の相関関係記憶部３２を参照して、入力の回数に対する取消入力の回数の割合から疲労度を推定する。計算部２５が、疲労度の情報を表示部４０の報知部４１に渡す。
＜記憶部３０の構成＞
図１に示す記憶部３０は、主として文書データ記憶部３１と相関関係記憶部３２とを備える。
【００３７】
文書データ記憶部３１は、制御部２０の文書制御部２１から文書データの情報を受け取り、文書データの情報を記憶する。相関関係記憶部３２は、制御部２０の計算部２５から、入力の回数に対する取消入力の回数の割合と疲労度との相関関係の情報及び作業内容の情報を受け取り、入力の回数に対する取消入力の回数の割合と疲労度との相関関係の情報を、作業内容ごとに記憶する。
【００３８】
＜表示部４０の構成＞
図１に示す表示部４０は、主として報知部４１と文書データ表示部４２とを備える。
文書データ表示部４２は、制御部２０の文書制御部２１から文書データの情報を受け取り、図２に示すディスプレイ１３０に文書データを表示する。図１に示す報知部４１は、制御部２０の計算部２５から、疲労度の情報を受け取り、図２に示すディスプレイ１３０に疲労度の情報を表示する。
【００３９】
＜相関関係記憶部３２の構成＞
図１に示す相関関係記憶部３２は、図６に示すような、入力の回数に対する取消入力の回数の割合と疲労度との相関関係の情報を、作業内容ごとに記憶する。なお、図６では、入力の回数に対する取消入力の回数の割合を誤り率と表示している。
作業内容が新規作業の場合、入力の回数に対する取消入力の回数の割合と疲労度との相関関係は、グラフ３２１となる。入力の回数に対する取消入力の回数の割合がＥ１のとき疲労度が絶好調から好調へ変わり、入力の回数に対する取消入力の回数の割合がＥ２のとき疲労度が好調から普通へ変わり、入力の回数に対する取消入力の回数の割合がＥ３のとき疲労度が普通から不調へ変わり、入力の回数に対する取消入力の回数の割合がＥ４のとき疲労度が不調から疲労へ変わる。
【００４０】
作業内容が修正作業の場合、入力の回数に対する取消入力の回数の割合と疲労度との相関関係は、グラフ３２２となる。入力の回数に対する取消入力の回数の割合がｅ１のとき疲労度が絶好調から好調へ変わり、入力の回数に対する取消入力の回数の割合がｅ２のとき疲労度が好調から普通へ変わり、入力の回数に対する取消入力の回数の割合がｅ３のとき疲労度が普通から不調へ変わり、入力の回数に対する取消入力の回数の割合がｅ４のとき疲労度が不調から疲労へ変わる。
【００４１】
＜作業管理システム１のハードウェア構成＞
図１に示す作業管理システム１のハードウェア構成を図２に示す。
図２において、ＣＰＵ１４０には、メモリ１５０と表示画面１３０とキーボード１６０とマウス１９０とハードディスク１２０とＣＤ−ＲＯＭドライブ１７０とがＢＵＳライン１８０を経由して接続されている。
【００４２】
図２に示すＣＰＵ１４０は、図１に示す制御部２０に対応する。図２に示すディスプレイ１３０は、図１に示す表示部４０に対応する。図２に示すキーボード１６０とマウス１９０とは、図１に示す入力部１０に対応する。図２に示すハードディスク１２０は、図１に示す記憶部３０に対応する。
図２に示すハードディスク１２０には、主として作業管理プログラム１２１，文書データ１２２及び入力の回数に対する取消入力の回数の割合と疲労度との相関関係１２３が記憶されている。作業管理プログラム１２１は、ＣＤ−ＲＯＭドライブ１７０を介してＣＤ−ＲＯＭ１７１からインストールされたものである。
【００４３】
＜コンピュータ２の表示部４０を用いて作業者が行う作業を作業管理システム１が管理する処理の流れ＞
コンピュータ２の表示部４０を用いて作業者が行う作業を作業管理システム１が管理する処理の流れを、図３に示すフローチャートを用いて説明する。
図３に示すステップＳ１では、図１に示すコンピュータ２の入力部１０への作業者による入力作業における入力が行われる。すなわち、図１に示す入力部１０において、作業者により入力作業における入力が行われる。入力部１０により、作業者の入力作業における入力の情報が、制御部２０へ渡される。
【００４４】
図３に示すステップＳ２では、入力作業における入力の回数が計測される。すなわち、図１に示す入力計測部２４により、入力部１０から作業者の入力作業における入力の情報が受け取られ、コンピュータ２の入力部１０への作業者による入力作業における入力の回数が計測される。入力計測部２４により、入力作業における入力の回数の情報が計算部２５に渡される。
【００４５】
図３に示すステップＳ３では、取消入力回数計測処理が行われる。すなわち、入力作業における取消入力の回数が計測される。図１に示す取消計測部２３により、入力作業における取消入力の回数の情報が計算部２５に渡される。
図３に示すステップＳ４では、所定期間が経過したか否かが判断される。ここで、所定期間とは、１時間である。所定期間が経過したと判断された場合は、ステップＳ５へ進められる。所定期間が経過していないと判断された場合は、ステップＳ７へ進められる。
【００４６】
図３に示すステップＳ５では、図１に示す疲労度入力部２６において作業者の主観的な疲労度が入力される。すなわち、作業者により、入力部１０を介して、作業者の主観的な疲労度が疲労度入力部２６に入力される。疲労度入力部２６により、疲労度の情報が計算部２５に渡される。
図３に示すステップＳ６では、更新処理が行われる。すなわち、図１に示す記憶部３０の相関関係記憶部３２に記憶されている、入力の回数に対する取消入力の回数の割合と疲労度との相関関係の情報が、更新される。
【００４７】
図３に示すステップＳ７では、計算が行われる。すなわち、図１に示す計算部２５により、入力の回数に対する取消入力の回数の割合が計算される。
図３に示すステップＳ８では、疲労度が推定される。すなわち、図１に示す計算部２５により、制御部２０の相関関係記憶部３２が参照され、入力の回数に対する取消入力の回数の割合から疲労度が推定される。計算部２５により、疲労度の情報が報知部４１に渡される。
【００４８】
図３に示すステップＳ９では、報知が行われる。すなわち、図１に示す報知部４１により、制御部２０の計算部２５から、疲労度の情報が受け取され、図２に示すディスプレイ１３０に疲労度の情報が表示される。
＜取消入力回数計測処理の流れ＞
図３に示す取消入力回数計測処理Ｓ３の詳細を、図４に示すフローチャートを用いて説明する。
【００４９】
図４に示すステップＳ１１では、入力作業における取消入力の時間間隔が測定される。すなわち、図１に示す取消計測部２３により、タイマ２２が参照される。そして、コンピュータ２の入力部１０への作業者による入力作業における取消入力と直前の取消入力との時間間隔が測定される。
図４に示すステップＳ１２では、図１に示すコンピュータ２の入力部１０への作業者による入力作業における取消入力が、直前の取消入力から２秒以内で行われたか否かが判断される。２秒以内で行われたと判断された場合は、処理が終了される。２秒以内で行われていないと判断された場合は、ステップＳ１３へ進められる。
【００５０】
図４に示すステップＳ１３では、入力作業における取消入力の回数が計測される。すなわち、図１に示す取消計測部２３により、入力部１０から作業者の入力作業における入力の情報が受け取られ、コンピュータ２の入力部１０への作業者による入力作業における取消入力の回数が計測される。
＜更新処理の流れ＞
図３に示す更新処理Ｓ６の詳細を、図５に示すフローチャートを用いて説明する。
【００５１】
図５に示すステップＳ２１では、図１に示す作業内容入力部２７において作業内容が入力される。すなわち、作業者により、入力部１０を介して、作業内容の情報が作業内容入力部２７に入力される。作業内容入力部２７により、作業内容の情報が計算部２５に渡される。
図５に示すステップＳ２２では、計算が行われる。すなわち、図１に示す計算部２５により、入力の回数に対する取消入力の回数の割合が計算される。計算部２５により、入力の回数に対する取消入力の回数の割合と疲労度との相関関係が、作業内容ごとに計算される。
【００５２】
図５に示すステップＳ２３では、入力の回数に対する取消入力の回数の割合と疲労度との相関関係が記憶される。すなわち、図１に示す計算部２５により、入力の回数に対する取消入力の回数の割合と疲労度との相関関係の情報及び作業内容の情報が、記憶部３０の相関関係記憶部３２に渡される。相関関係記憶部３２により、制御部２０の計算部２５から、入力の回数に対する取消入力の回数の割合と疲労度との相関関係の情報及び作業内容の情報が受け取られ、入力の回数に対する取消入力の回数の割合と疲労度との相関関係の情報が、作業内容ごとに記憶される。
【００５３】
＜作業管理システム１に関する特徴＞
（１）
ここでは、図１に示す入力計測部２４が、コンピュータ２の入力部１０への作業者による入力作業における入力の回数を計測する。取消計測部２３が、コンピュータ２の入力部１０への作業者による入力作業における取消入力の回数を計測する。疲労度入力部２６において、作業者の主観的な疲労度が入力される。入力計測部２４が、入力作業における入力の回数の情報を計算部２５に渡す。取消計測部２３が、入力作業における取消入力の回数の情報を計算部２５に渡す。計算部２５が、入力の回数に対する取消入力の回数の割合を計算する。疲労度入力部２６が、疲労度の情報を計算部２５に渡す。計算部２５が、入力の回数に対する取消入力の回数の割合と疲労度との相関関係を計算する。計算部２５が、入力の回数に対する取消入力の回数の割合と疲労度との相関関係の情報を相関関係記憶部３２に渡す。相関関係記憶部３２が、入力の回数に対する取消入力の回数の割合と疲労度との相関関係を記憶する。
【００５４】
したがって、入力の回数に対する取消入力の回数の割合から疲労度が自動的に推定される。その結果、疲労度が正確に把握される。
（２）
ここでは、図１に示す入力計測部２４が、コンピュータ２の入力部１０への作業者による入力作業における入力の回数を計測する。取消計測部２３が、コンピュータ２の入力部１０への作業者による入力作業における取消入力の回数を計測する。疲労度入力部２６において、作業者の主観的な疲労度が入力される。作業内容入力部２７において、作業者の作業内容が入力される。入力計測部２４が、入力作業における入力の回数の情報を計算部２５に渡す。取消計測部２３が、入力作業における取消入力の回数の情報を計算部２５に渡す。計算部２５が、入力の回数に対する取消入力の回数の割合を計算する。疲労度入力部２６が、疲労度の情報を計算部２５に渡す。作業内容入力部２７が、作業者の作業内容を計算部２５に渡す。計算部２５が、入力の回数に対する取消入力の回数の割合と疲労度との相関関係を、作業内容ごとに計算する。計算部２５が、入力の回数に対する取消入力の回数の割合と疲労度との相関関係の情報及び作業内容の情報を、相関関係記憶部３２に渡す。相関関係記憶部３２が、入力の回数に対する取消入力の回数の割合と疲労度との相関関係を、作業内容ごとに記憶する。
【００５５】
したがって、入力の回数に対する取消入力の回数の割合と疲労度との相関関係が、図６に示すように、新規作業に対するグラフ３２１と修正作業に対するグラフ３２２とで異なっていても、入力の回数に対する取消入力の回数の割合から疲労度が正確に推定される。
（３）
ここでは、図１に示す取消計測部２３が、入力作業における取消入力が所定時間（２秒）以内において連続して発生する場合には、取消入力の回数を１回として計測する。例えば、ＢＳキーを連続して５回押して５文字を消した場合も取消計測部２３が１回として計測し、５文字を選択してＤＥＬキーを１回押して５文字を消した場合も取消計測部２３が１回として計測する。
【００５６】
したがって、作業者により取消入力の方法にばらつきがある場合でも、入力の回数に対する取消入力の回数の割合が正確に把握される。
（４）
ここでは、取消入力の回数が、図１に示すコンピュータ２の入力部１０のＤＥＬキーが押される回数、コンピュータ２の入力部１０のＢＳキーが押される回数及びコンピュータ２の入力部１０によりＵＮＤＯコマンドが実行される回数である。入力計測部２４が、コンピュータ２の入力部１０への作業者による入力作業における入力の回数を計測する。取消計測部２３が、コンピュータ２の入力部１０への作業者による入力作業における取消入力の回数を計測する。疲労度入力部２６において、作業者の主観的な疲労度が入力される。
【００５７】
したがって、取消入力の回数が、コンピュータ２の入力部１０のＤＥＬキーが押される回数、コンピュータ２の入力部１０のＢＳキーが押される回数及びコンピュータ２の入力部１０によりＵＮＤＯコマンドが実行される回数であるので、取消入力の回数が容易に計測される。
（５）
ここでは、図１に示す入力計測部２４が、コンピュータ２の入力部１０への作業者による入力作業における入力の回数を計測する。取消計測部２３が、コンピュータ２の入力部１０への作業者による入力作業における取消入力の回数を計測する。疲労度入力部２６において、作業者の主観的な疲労度が入力される。入力計測部２４が、入力作業における入力の回数の情報を計算部２５に渡す。取消計測部２３が、入力作業における取消入力の回数の情報を計算部２５に渡す。計算部２５が、入力の回数に対する取消入力の回数の割合を計算する。疲労度入力部２６が、疲労度の情報を計算部２５に渡す。計算部２５が、入力の回数に対する取消入力の回数の割合と疲労度との相関関係を計算する。計算部２５が、入力の回数に対する取消入力の回数の割合と疲労度との相関関係の情報を相関関係記憶部３２に渡す。相関関係記憶部３２が、入力の回数に対する取消入力の回数の割合と疲労度との相関関係を記憶する。計算部２５が、相関関係記憶部３２を参照して、入力の回数に対する取消入力の回数の割合から疲労度を推定する。計算部２５が、疲労度の情報を報知部４１に渡す。報知部４１が、作業者の疲労度を報知する。
【００５８】
したがって、報知部４１が作業者の疲労度を報知するので、作業者の疲労度が作業者に容易に把握される。
＜第１実施形態の変形例＞
（Ａ）図３に示すステップＳ４において判断される基準となる所定期間は、１時間でなくてもよい。１時間より短い時間であってもよいし、１時間より長い時間であってもよい。図４に示すステップＳ１２において判断される基準となる時間間隔は、２秒でなくてもよい。２秒より短い時間であってもよいし、２秒より長い時間であってもよい。図３に示すステップＳ４において判断される基準は、所定期間が経過したことである代わりに、入力作業における入力が所定回数になったことであってもいいし、入力作業における取消入力が所定回数になったことであってもいいし、入力作業における入力の回数が所定回数になったか又は入力作業において所定期間が経過したかのいずれかが満たされたことでもいいし、入力作業における取消入力の回数が所定回数になったか又は入力作業において所定期間が経過したかのいずれかが満たされたことでもいい。入力作業において入力の回数や取消入力の回数が計測される文書データは、不特定の文書データであってもいいし、使用頻度の高い特定の文字についての文書データに限定してもいいし、入力作業において取消入力の頻度の高い特定の文字についての文書データに限定してもいい。取消入力の回数は、コンピュータ２の入力部１０のＤＥＬキーが押される回数、コンピュータ２の入力部１０のＢＳキーが押される回数及びコンピュータ２の入力部１０によりＵＮＤＯコマンドが実行される回数のうち少なくとも２つの回数の合計であってもいいし、いずれか１つの回数であってもいい。
（Ｂ）図１において、制御部２０は作業内容入力部２７を備えなくてもよい。この場合、図５に示すステップＳ２１が省略され、図１に示す制御部２０の処理が簡略化されるため、制御部２０がより低コストで製造される。図１において、制御部２０はタイマ２２を備えなくてもよい。この場合、図４に示す取消入力回数計測処理において、ステップＳ１１とステップＳ１２とが省略されることになるが、図１に示す取消計測部２３の処理が簡略化されるため、図２に示す作業管理プログラム１２１がより低コストで製造される。
（Ｃ）図６において、疲労度が「絶好調」〜「疲労」で示されているが、別の示し方でもよい。例えば、「絶好調」の代わりにＦ１、「好調」の代わりにＦ２、「普通」の代わりにＦ３、「不調」の代わりにＦ４、「疲労」の代わりにＦ５というように、数値で示されてもよい。
【００５９】
［第２実施形態］
本発明の第２実施形態に係る作業管理システム２００の構成図を図７に示す。図７において、図１の作業管理システム１の構成要素と同様の構成要素は同じ番号で示してある。ここに示す作業管理システム２００は、主としてコンピュータ２０２の表示部４０を用いて作業者が行う作業を管理するためのシステムである。
【００６０】
この作業管理システム２００は、図７に示すように、基本的な構造は第１実施形態と同様であるが、記憶部２３０が履歴記憶部２３３をさらに備えている点で構成が異なる。すなわち、制御部２２０の計算部２２５が、入力の回数に対する取消入力の回数の割合と疲労度との相関関係の情報を、相関関係記憶部３２だけでなく履歴記憶部２３３に渡す点で、第１実施形態と異なる。また、履歴記憶部２３３が、図１０に示すような、入力の回数に対する取消入力の回数の割合と疲労度との相関関係の履歴を記憶する点で、第１実施形態と異なる。なお、図１０では、入力の回数に対する取消入力の回数の割合を誤り率と表示している。また、図２に示すハードディスク１２０が、入力の回数に対する取消入力の回数の割合と疲労度との相関関係の履歴１２４を記憶している点で、第１実施形態と異なる。
【００６１】
この作業管理システム２００は、コンピュータ２０２の表示部４０を用いて作業者が行う作業を管理する処理の流れが第１実施形態と異なる。すなわち、図８に示すように、次の点で第１実施形態と異なる。なお、図８では、図３に示す処理と同様の処理は同じ番号で示してある。図８に示すステップＳ２０１では、更新処理が相関関係の履歴についても行われる。ステップＳ２０２では、入力の回数に対する取消入力の回数の割合と疲労度との相関関係の時間的な変化を予測しながら、入力の回数に対する取消入力の回数の割合から疲労度が推定される。図９に示すように、更新処理の内容が次の点で第１実施形態と異なる。なお、図９では、図５に示す処理と同様の処理は同じ番号で示してある。ステップＳ２２４では、入力の回数に対する取消入力の回数の割合と疲労度との相関関係の履歴が記憶される。すなわち、入力の回数に対する取消入力の回数の割合と疲労度との相関関係の情報が、図７に示す計算部２２５から履歴記憶部２３３に渡される。そして、入力の回数に対する取消入力の回数の割合と疲労度との相関関係の履歴が、履歴記憶部２３３に記憶されることにより、更新される。
【００６２】
入力の回数に対する取消入力の回数の割合から疲労度が自動的に推定される点は、第１実施形態と同様である。したがって、このような作業管理システム２００によっても、疲労度が正確に把握される。
［第３実施形態］
本発明の第３実施形態に係る作業管理システム３００の構成図を図１１に示す。図１１において、図１の作業管理システム１の構成要素と同様の構成要素は同じ番号で示してある。ここに示す作業管理システム３００は、主としてコンピュータ３０２の表示部４０を用いて作業者が行う作業を管理するためのシステムである。
【００６３】
この作業管理システム３００は、図１１に示すように、基本的な構造は第１実施形態と同様であるが、制御部３２０が環境計測部３２８をさらに備え、センサー３５０がさらに備えられている点で構成が異なる。すなわち、環境計測部３２８が、センサー３５０にコンピュータ３０２付近の温度を計測させる。環境計測部３２８が、コンピュータ３０２付近の温度の情報を計算部３２５に渡す。計算部３２５が、コンピュータ３０２付近の温度の情報を記憶部３３０の相関関係記憶部３３２に渡す。相関関係記憶部３３２が、図１３に示すような、入力の回数に対する取消入力の回数の割合と温度と疲労度との相関関係を記憶する。これらの点で第１実施形態と異なる。
【００６４】
この作業管理システム３００は、コンピュータ３０２の表示部４０を用いて作業者が行う作業を管理する処理の流れが第１実施形態と異なる。すなわち、図１２に示すように、次の点で第１実施形態と異なる。なお、図１２では、図３に示す処理と同様の処理は同じ番号で示してある。図１２に示すステップＳ３０１では、環境計測部３２８により、センサー３５０がコンピュータ３０２付近の温度を計測させられる。ステップＳ３０２では、入力の回数に対する取消入力の回数の割合とコンピュータ３０２付近の温度とから疲労度が自動的に推定される。
【００６５】
入力の回数に対する取消入力の回数の割合とコンピュータ３０２付近の温度とから疲労度が自動的に推定される点は、第１実施形態と同様である。したがって、このような作業管理システム３００によっても、疲労度が正確に把握される。
＜第３実施形態の変形例＞
（Ａ）図１１に示す環境計測部３２８がセンサー３５０を用いて計測するのは、コンピュータ３０２付近の温度でなくてもよい。すなわち、コンピュータ３０２付近の湿度であってもいいし、コンピュータ３０２付近の気流であってもいいし、コンピュータ３０２付近の清浄度であってもいいし、コンピュータ３０２付近の体感指標であってもいい。
（Ｂ）図１１に示すセンサー３５０は、コンピュータ３０２付近の温度を計測する代わりに、コンピュータ３０２の入力部１０への作業者による入力作業における入力の回数及びコンピュータ３０２の入力部１０への作業者による入力作業における取消入力の回数を計測してもよい。例えば、センサー３５０がＣＣＤであり、コンピュータ３０２の入力部１０への作業者による入力作業における手の動きから入力の回数が計測されてもよい。あるいは、センサー３５０は、コンピュータ３０２付近の温度を計測すると同時に、コンピュータ３０２の入力部１０への作業者による入力作業における入力の回数及びコンピュータ３０２の入力部１０への作業者による入力作業における取消入力の回数を計測してもよい。また、センサー３５０が入力の回数や取消入力の回数を計測する場合、入力計測部２４と取消計測部２３とは、作業者による入力が行われるコンピュータ３０２とは別のコンピュータに備えられていてもよい。
（Ｃ）センサー３５０とコンピュータ３０２とは、有線回線により接続されていてもよく、無線回線により接続されていてもよく、内部配線により接続されていてもよい。
【００６６】
［第４実施形態］
本発明の第４実施形態に係る作業管理システム４００の構成図を図１４に示す。図１４において、図１の作業管理システム１の構成要素と同様の構成要素は同じ番号で示してある。ここに示す作業管理システム４００は、主としてコンピュータ４０２の表示部４４０を用いて作業者が行う作業を管理するためのシステムである。
【００６７】
この作業管理システム４００は、図１４に示すように、基本的な構造は第１実施形態と同様であるが、警報機４６０がさらに備えられている点で構成が異なる。すなわち、表示部４４０は、報知部４６１を備えておらず、警報機４６０が報知部４６１を備えている。警報機４６０の報知部４６１は、音声により、作業者の疲労度を報知する。
入力の回数に対する取消入力の回数の割合から疲労度が自動的に推定される点は、第１実施形態と同様である。したがって、このような作業管理システム４００によっても、疲労度が正確に把握される。
【００６８】
＜第４実施形態の変形例＞
（Ａ）図１４に示す警報機４６０の報知部４６１が報知を行う方法は、音声によるものでなくてもよい。すなわち、ＬＥＤ表示のように人間の視覚に訴えるものでもよいし、人間の味覚・触覚・嗅覚・知覚などに訴えるものでもよい。
（Ｂ）図１４に示す警報機４６０とコンピュータ４０２とは、有線回線により接続されていてもよく、無線回線により接続されていてもよく、内部配線により接続されていてもよい。
【産業上の利用可能性】
【００６９】
本発明にかかる作業管理システム、作業管理方法及び作業管理プログラムは、疲労度を正確に把握することができるという効果を有し、作業管理システム、作業管理方法及び作業管理プログラム等として有用である。
【図面の簡単な説明】
【００７０】
【図１】本発明の第１実施形態による作業管理システムの構成図。
【図２】本発明の第１実施形態による作業管理システムのハードウェア構成図。
【図３】コンピュータの表示部を用いて作業者が行う作業を作業管理システムが管理する処理の流れを示すフローチャート。
【図４】取消入力回数計測処理を示すフローチャート。
【図５】更新処理を示すフローチャート。
【図６】入力の回数に対する取消入力の回数の割合（誤り率）と疲労度との相関関係を示す概念図。
【図７】本発明の第２実施形態による作業管理システムの構成図。
【図８】コンピュータの表示部を用いて作業者が行う作業を作業管理システムが管理する処理の流れを示すフローチャート。
【図９】更新処理を示すフローチャート。
【図１０】入力の回数に対する取消入力の回数の割合（誤り率）と疲労度との相関関係の履歴を示す概念図。
【図１１】本発明の第３実施形態による作業管理システムの構成図。
【図１２】コンピュータの表示部を用いて作業者が行う作業を作業管理システムが管理する処理の流れを示すフローチャート。
【図１３】入力の回数に対する取消入力の回数の割合（誤り率）と温度と疲労度との相関関係を示す概念図。
【図１４】本発明の第４実施形態による作業管理システムの構成図。
【符号の説明】
【００７１】
１，２００，３００，４００  作業管理システム
１０  入力部
２０，２２０，３２０  制御部
３０，２３０，３３０  記憶部
４０，４４０  表示部
３５０  センサー
４６０  警報機
【図１】
2005071250.tif 000003
【図２】
2005071250.tif 000004
【図３】
2005071250.tif 000005
【図４】
2005071250.tif 000006
【図５】
2005071250.tif 000007
【図６】
2005071250.tif 000008
【図７】
2005071250.tif 000009
【図８】
2005071250.tif 000010
【図９】
2005071250.tif 000011
【図１０】
2005071250.tif 000012
【図１１】
2005071250.tif 000013
【図１２】
2005071250.tif 000014
【図１３】
2005071250.tif 000015
【図１４】
2005071250.tif 000016